【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
ジョブに基づく印刷処理を実行可能な印刷装置と、該印刷処理が施されてから該印刷装置から搬送される印刷媒体に対して後処理を実行可能な後処理装置と、によって処理される前記ジョブに関する処理を実行可能に構成されている印刷システムによるジョブ処理方法であって、
前記印刷装置を用いて前記ジョブに基づく第１の部数分の印刷を行う第１の印刷処理と、該第１の印刷処理が施されてから該印刷装置から搬送される前記第１の部数分の印刷媒体に対して前記後処理装置を用いて行う第１の後処理と、の実行を要する第１の動作と、
前記印刷装置を用いて前記ジョブに基づく第２の部数分の印刷を行う第２の印刷処理の実行を要し、前記第１の後処理の実行は要さない第２の動作と、
の両方の実行前に、ユーザインターフェースを介して、前記第１の動作と前記第２の動作の両方の実行の指示の入力を許可し、
前記ユーザインターフェースを介して前記指示を受け取ると、前記印刷装置と前記後処理装置とを用いて、前記第１の動作及び前記第２の動作の両方を実行する
ことを特徴とするジョブ処理方法。
【請求項２】
前記第２の動作は、前記第２の印刷処理が施されてから前記印刷装置から搬送される前記第２の部数分の印刷媒体に対して前記後処理装置を用いて行う第２の後処理の実行を要する動作であることを特徴とする請求項１に記載のジョブ処理方法。
【請求項３】
前記第１の後処理は、ステイプル処理、パンチ処理、くるみ製本処理、天糊製本処理、中綴じ製本処理、シートの積載処理、断裁処理、のうち少なくとも１つであることを特徴とする請求項１に記載のジョブ処理方法。
【請求項４】
前記指示の入力は、前記印刷システムにおいて複数種の後処理が使用可能である場合に許可されることを特徴とする請求項１に記載のジョブ処理方法。
【請求項５】
更に、
前記指示の入力が実行された場合に、前記第１の後処理と並行して前記第２の印刷処理の実行を許可することを特徴とする請求項４に記載のジョブ処理方法。
【請求項６】
前記指示の入力は、前記印刷媒体が前記印刷装置から複数の後処理装置に対して供給可能な場合に、許可されることを特徴とする請求項２に記載のジョブ処理方法。
【請求項７】
更に、
前記指示の入力が行われた場合、前記第１の後処理と並行して前記第２の後処理を許可する工程を備えることを特徴とする請求項６に記載のジョブ処理方法。
【請求項８】
前記第１の印刷処理は、第１の印刷形式に基づいて前記印刷装置により実行され、
前記第２の印刷処理は、前記第１の印刷形式とは異なる第２の印刷形式に基づいて前記印刷装置により実行される
ことを特徴とする請求項２に記載のジョブ処理方法。
【請求項９】
前記第１の印刷形式は、
片面印刷／両面印刷に係る印刷形式、ページレイアウト処理に係る印刷形式、印刷濃度に係る印刷形式、印刷倍率に係る印刷形式、印刷処理に要する印刷媒体のサイズに係る印刷形式、印刷処理に要する印刷媒体の種類に係る印刷形式、印字色に係る印刷形式、のうちの、少なくとも１つであることを特徴とする請求項８に記載のジョブ処理方法。
【請求項１０】
更に、
処理対象のジョブが、複数部数の印刷を要しないジョブである場合、該ジョブに対する前記指示の入力は禁止する工程を備えることを特徴とする請求項１に記載のジョブ処理方法。
【請求項１１】
更に、
処理対象のジョブが、複数部数の印刷を要するジョブである場合、該ジョブに対して第１のモード及び第２のモードのうち１つを選択する工程を備え、
前記第１のモードは、前記第１の動作及び前記第２の動作の両方を実行する為のモードであり、
前記第２のモードは、前記第１の動作及び前記第２の動作の両方は実行しない為のモードである
ことを特徴とする請求項１に記載のジョブ処理方法。
【請求項１２】
更に、
前記第２の印刷処理の印刷中断要因が生じた場合、前記第１の動作をやり直すことなく、前記第２の動作をやり直す工程を備えることを特徴とする請求項１に記載のジョブ処理方法。
【請求項１３】
更に、
前記ユーザインターフェースに、前記第２の動作の状態と前記第１の動作の状態とが区別可能なように構成された画面を表示させる工程を備えることを特徴とする請求項１に記載のジョブ処理方法。
【請求項１４】
更に、
前記ユーザインターフェースからのユーザ要求に基づいて、前記第２の動作をキャンセルすることなく前記第１の動作のキャンセルを許可する工程を備えることを特徴とする請求項１に記載のジョブ処理方法。
【請求項１５】
前記ジョブの印刷データは、前記第１の動作がキャンセルされても、前記第２の動作が完了するまでは消去されないことを特徴とする請求項１４に記載のジョブ処理方法。
【請求項１６】
更に、
前記印刷装置を用いて他の動作の実行中に、前記第１の動作及び前記第２の動作の開始順を変更するためのユーザ要求の入力を許可する工程を備えることを特徴とする請求項１に記載のジョブ処理方法。
【請求項１７】
前記指示は、前記印刷装置の前記ユーザインターフェースを用いて入力されることを特徴とする請求項１に記載のジョブ処理方法。
【請求項１８】
前記指示は、前記印刷装置と通信可能に構成されている外部装置の前記ユーザインターフェースを用いて入力されることを特徴とする請求項１に記載のジョブ処理方法。
【請求項１９】
請求項１乃至１８の何れか１項に記載のジョブ処理方法の各工程をコンピュータに実行させるためのコンピュータプログラムを格納した、コンピュータ読み取り可能な記憶媒体。
【請求項２０】
ジョブに基づく印刷処理を実行可能な印刷装置と、該印刷処理が施されてから該印刷装置から搬送される印刷媒体に対して後処理を実行可能な後処理装置と、によって処理される前記ジョブに関する処理を実行可能に構成されている印刷システムであって、
前記印刷装置を用いて前記ジョブに基づく第１の部数分の印刷を行う第１の印刷処理と、該第１の印刷処理が施されてから該印刷装置から搬送される前記第１の部数分の印刷媒体に対して前記後処理装置を用いて行う第１の後処理と、の実行を要する第１の動作と、
前記印刷装置を用いて前記ジョブに基づく第２の部数分の印刷を行う第２の印刷処理の実行を要し、前記第１の後処理の実行は要さない第２の動作と、
の両方の実行前に、前記第１の動作と前記第２の動作の両方の実行の指示を入力する入力手段と、
前記指示を受け取ると、前記印刷装置と前記後処理装置とを制御して、前記第１の動作及び前記第２の動作の両方を、前記印刷装置と前記後処理装置とを用いて実行する制御手段と
を備えることを特徴とする印刷システム。
【手続補正２】
【補正対象書類名】明細書
【補正対象項目名】発明の名称
【補正方法】変更
【補正の内容】
【発明の名称】印刷システム、ジョブ処理方法、記憶媒体
【手続補正３】
【補正対象書類名】明細書
【補正対象項目名】０００１
【補正方法】変更
【補正の内容】
【０００１】
本発明は、複数のジョブを受付け可能な印刷システム、ジョブ処理方法、記憶媒体に関するものである。
【手続補正４】
【補正対象書類名】明細書
【補正対象項目名】００１３
【補正方法】変更
【補正の内容】
【００１３】
そこで、本発明は、上記課題に鑑みてなされたものであり、オフィス環境に留まらずＰＯＤ環境にも適応可能な便利な印刷システム、ジョブ処理方法、記憶媒体を提供可能にする。
【手続補正５】
【補正対象書類名】明細書
【補正対象項目名】００１６
【補正方法】変更
【補正の内容】
【００１６】
本発明の目的を達成するために、例えば、本発明のジョブ処理方法は以下の構成を備える。
【手続補正６】
【補正対象書類名】明細書
【補正対象項目名】００１７
【補正方法】変更
【補正の内容】
【００１７】
即ち、ジョブに基づく印刷処理を実行可能な印刷装置と、該印刷処理が施されてから該印刷装置から搬送される印刷媒体に対して後処理を実行可能な後処理装置と、によって処理される前記ジョブに関する処理を実行可能に構成されている印刷システムによるジョブ処理方法であって、
前記印刷装置を用いて前記ジョブに基づく第１の部数分の印刷を行う第１の印刷処理と、該第１の印刷処理が施されてから該印刷装置から搬送される前記第１の部数分の印刷媒体に対して前記後処理装置を用いて行う第１の後処理と、の実行を要する第１の動作と、
前記印刷装置を用いて前記ジョブに基づく第２の部数分の印刷を行う第２の印刷処理の実行を要し、前記第１の後処理の実行は要さない第２の動作と、
の両方の実行前に、ユーザインターフェースを介して、前記第１の動作と前記第２の動作の両方の実行の指示の入力を許可し、
前記ユーザインターフェースを介して前記指示を受け取ると、前記印刷装置と前記後処理装置とを用いて、前記第１の動作及び前記第２の動作の両方を実行する
ことを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】